【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
モデム終端システム（ＭＴＳ）及びモデムを含むプロトコル通信リンクを介した無線サービスにおけるレイテンシを低減する方法であって、前記モデムで動作可能であり、
ユーザ機器がモバイルコアネットワークに送信するデータを有することを示すメッセージを前記ユーザ機器から検出するステップと、
前記ユーザ機器からのメッセージの検出に応答して、前記ユーザ機器のデータをゲートウェイに転送することを要求するステップと、
前記ユーザ機器が前記ユーザ機器のデータを送信するために前記モバイルコアネットワークと交渉している間に、前記ユーザ機器のデータを前記ゲートウェイに転送する前記ゲートウェイからのグラントを処理するステップと
を含む方法。
【請求項２】
前記メッセージは、ロングタームエボリューション（ＬＴＥ）無線プロトコルのスケジューリング要求（ＳＲ）である請求項１に記載の方法。
【請求項３】
前記メッセージは、前記ユーザ機器の送信されるデータの量及びサービス品質（ＱｏＳ）要求を示すロングタームエボリューション（ＬＴＥ）無線プロトコルのバッファステータスレポート（ＢＳＲ）である請求項１に記載の方法。
【請求項４】
前記メッセージは、前記ＵＥの送信されるデータの量と、前記ＵＥのデータが送信される正確な時刻とを示すロングタームエボリューション（ＬＴＥ）無線プロトコルのＬＴＥグラントであることを特徴とする請求項１に記載の方法。
【請求項５】
前記メッセージは、ＷｉＦｉプロトコルに従ってフォーマットされていることを特徴とする請求項１に記載の方法。
【請求項６】
前記データの量及びサービス品質（ＱｏＳ）割当を許可するＱｏＳグラントを配信するために前記ＭＴＳにトリガをかけるように、前記ユーザ機器のデータの量及びＱｏＳ割当を前記ＭＴＳに伝えるステップをさらに含む請求項１に記載の方法。
【請求項７】
前記検出するステップは、前記モデムに通信可能に結合されたｅＮｏｄｅＢによって実行され、
前記ユーザ機器が前記無線サービスリンクとの交渉を終了したときに、前記ユーザ機器のデータを前記ｅＮｏｄｅＢから前記ＭＴＳにデータオーバーケーブルサービスインターフェース仕様（ＤＯＣＳＩＳ）リンクを介して転送することをさらに含む請求項１に記載の方法。
【請求項８】
前記メッセージは、複数のユーザ機器の送信されるデータの量及びサービス品質（ＱｏＳ）要求を示すロングタームエボリューション（ＬＴＥ）無線プロトコルの複数のバッファステータスレポート（ＢＳＲ）に関する情報を含む請求項１に記載の方法。
【請求項９】
前記メッセージは、前記複数のユーザ機器の送信されるデータの量と、前記複数のユーザ機器の送信されるデータの正確な時刻とを示すロングタームエボリューション（ＬＴＥ）無線プロトコルの複数のＬＴＥグラントに関する情報を含む請求項１に記載の方法。
【請求項１０】
前記メッセージは、ＷｉＦｉプロトコルに従ってフォーマットされている請求項１に記載の方法。
【請求項１１】
モデム終端システム（ＭＴＳ）及びモデムを含む通信リンクを介した無線サービスリンクにおけるレイテンシを低減する方法であって、前記ＭＴＳで動作可能であり、
前記モデムからの要求を処理し、前記要求はユーザ機器（ＵＥ）がモバイルコアネットワークに送信するデータを有することを示すステップと、
前記ＵＥのデータを送信するために前記ＵＥがゲートウェイと交渉している間に、前記要求を許可するステップと、
前記モデムから前記ＵＥのデータを受信するステップと、
前記ＵＥのデータを前記モバイルコアネットワークに転送するステップと
を含む方法。
【請求項１２】
前記モデムからの要求は、前記ＵＥからのロングタームエボリューション（ＬＴＥ）無線プロトコルのスケジューリング要求（ＳＲ）に応答するものである請求項１１に記載の方法。
【請求項１３】
前記モデムからの要求は、前記ＵＥの送信されるデータの量及びサービス品質（ＱｏＳ）要求を示すロングタームエボリューション（ＬＴＥ）無線プロトコルのバッファステータスレポート（ＢＳＲ）に応答するものである請求項１１に記載の方法。
【請求項１４】
前記モデムからの要求は、前記ＵＥの送信されるデータの量と、前記ＵＥの送信されるデータの正確な時刻とを示すロングタームエボリューション（ＬＴＥ）無線プロトコルのＬＴＥグラントに応答するものである請求項１１に記載の方法。
【請求項１５】
前記モデムを介して前記モバイルコアネットワークに送信される前記ＵＥのデータ量を処理するステップと、
前記データの量及びサービス品質（ＱｏＳ）要求に基づいて後続のグラントを構成するステップと
をさらに含む請求項１１に記載の方法。
【請求項１６】
前記モデムからの前記ＵＥのデータ量を処理するステップと、
前記データの量及びサービス品質（ＱｏＳ）割当と、グラントの正確なタイミングとに基づいて後続のグラントを構成する請求項１１に記載の方法。
【請求項１７】
前記ＵＥのデータを前記モデムから前記モバイルコアネットワークに転送するステップをさらに含む請求項１１に記載の方法。
【請求項１８】
通信リンクを介した無線サービスリンクにおけるレイテンシを低減する方法であって、  前記通信リンクを介してモデムをモデム終端システム（ＭＴＳ）にリンクするステップと、
前記モデムにおいて、ユーザ機器（ＵＥ）がモバイルコアネットワークに送信するデータを有することを示すメッセージを無線サービスリンクから検出するステップと、
前記無線サービスリンクからのメッセージの検出に応答して、前記モデムから前記ＭＴＳへのデータ転送を要求するステップと、
前記ＭＴＳにおいて前記モデムからの要求を処理するステップと、
前記ＵＥのデータを送信するために前記ＵＥが前記無線サービスリンクと交渉している間に、前記要求を許可するステップと
を含む方法。
【請求項１９】
前記メッセージは、ロングタームエボリューション（ＬＴＥ）無線プロトコルのスケジューリング要求（ＳＲ）である請求項１８に記載の方法。
【請求項２０】
前記メッセージは、前記ＵＥの送信されるデータの量及びサービス品質（ＱｏＳ）要求を示すロングタームエボリューション（ＬＴＥ）無線プロトコルのバッファステータスレポート（ＢＳＲ）である請求項１８に記載の方法。
【請求項２１】
前記メッセージは、前記ＵＥの送信されるデータの量と、前記ＵＥのデータが送信される正確な時刻とを示すロングタームエボリューション（ＬＴＥ）無線プロトコルのＬＴＥグラントである請求項１８に記載の方法。
【請求項２２】
前記データの量を許可するグラントを配信するために前記ＭＴＳにトリガをかけるように、前記ＵＥのデータの量を前記ＭＴＳに伝えるステップをさらに含む請求項１８に記載の方法。
【請求項２３】
前記データの量を許可するグラント及び前記グラントのタイミングを配信するために前記ＭＴＳにトリガをかけるように、前記ＵＥのデータの量を前記ＭＴＳに伝えるステップをさらに含む請求項１８に記載の方法。
【請求項２４】
前記ＵＥが前記無線サービスリンクとの交渉を終了するときに、前記ＵＥのデータを前記モデムから前記ＭＴＳに転送するステップをさらに含む請求項１８に記載の方法。
【請求項２５】
前記無線サービスリンクは、前記モデムに通信可能に結合されたｅＮｏｄｅＢを含み、  前記ＵＥのデータを前記ｅＮｏｄｅＢから前記ＭＴＳに前記通信リンクを介して転送するステップをさらに含む請求項１８に記載の方法。